(57)【要約】【課題】記録媒体のコピープロテクトを行なう。【解決手段】プログラムが起動すると（ステップＳ１のＹ）、所定のセクタをエラー訂正を行なって再生する（ステップＳ２）。このデータの再生により再生エラーが発生しないときは（ステップＳ３のＹ）、当該セクタをエラー訂正を行なわずに再生する（ステップＳ４）。この再生により所定のパターンが再生されなかったときは（ステップＳ５のＮ）、書込みソフトにより所定のパターンに代えてダミーのデータが記録されたコピーの光ディスクであることが判明するから、一連の処理を終了し、光ディスクに記録されているプログラムに基づく処理を行なわない。【選択図】　　図５
2004030815.tif 000002
【特許請求の範囲】
【請求項１】
コンピュータに読取り可能なプログラムにおいて、
本プログラムが起動すると本プログラムが記録されている記録媒体の特定の領域のデータをエラー訂正を行なって再生する第１の再生処理と、
このデータの再生によりエラー訂正ができない再生エラーが発生するか否かを判断する第１の判定処理と、
この判定により前記再生エラーが発生しないときは前記特定の領域のデータをエラー訂正を行なわずに再生する第２の再生処理と、
この再生により所定のパターンが再生できたか否かを判定する第２の判定処理と、
この判定により前記所定のパターンが再生できたと判定したことを条件に、与えられたコマンドに応じた処理の実行を許可する許可処理と、
をコンピュータに実行させることを特徴とするプログラム。
【請求項２】
前記第１の再生処理は、前記特定の領域となるセクタを再生し、
前記第２の再生処理は、前記第１の判定処理による判定により前記再生エラーが発生しないときは前記第１の再生処理で再生した前記セクタを再生すること、を特徴とする請求項１に記載のプログラム。
【請求項３】
前記セクタはエラー訂正用コードにより前記エラー訂正を行なって再生しようとすると前記エラー訂正が実行できないようにしていること、を特徴とする請求項２に記載のプログラム。
【請求項４】
請求項１〜３の何れかの一に記載のプログラムが記憶されていることを特徴とする記録媒体。
【請求項５】
前記プログラムが記憶されている記録済み領域と、前記プログラムがコンピュータ上で動作することによりデータの記録が可能な未記録領域とを有しているハイブリッド記録媒体であることを特徴とする請求項４に記載の記録媒体。
【請求項６】
予め所定のプログラムが記憶されている記録媒体と、
このハイブリッド記録媒体を再生する再生装置と、
前記再生装置を制御する情報処理装置と、
を備えている情報処理システムにおいて、
前記記録媒体は、
特定の領域に、エラー訂正を行なって再生しようとすると前記エラー訂正が実行できない再生エラーとなり、かつ、前記エラー訂正を行なわずに再生するときは所定のパターンが再生できるデータが予め記録されていて、
前記プログラムは、
当該プログラムが起動すると前記特定の領域のデータを前記エラー訂正を行なって再生する第１の再生処理と、
このデータの再生により前記再生エラーが発生するか否かを判断する第１の判定処理と、
この判定により前記再生エラーが発生しないときは前記特定の領域のデータをエラー訂正を行なわずに再生する第２の再生処理と、
この再生により前記所定のパターンが再生できたかを判定する第２の判定処理と、
この判定により前記所定のパターンが再生できたと判定したことを条件に、与えられたコマンドに応じた処理の実行を許可する許可手段と、
を前記情報処理装置に実行させること、
を特徴とする情報処理システム。
【請求項７】
予め所定のプログラムが記憶されている記録媒体に対するコピープロテクトを行なうコピープロテクト方法において、
前記プログラムに基づいてコンピュータが、
本プログラムが起動すると本プログラムが記録されている記録媒体の特定の領域のデータをエラー訂正を行なって再生する第１の再生工程と、
このデータの再生によりエラー訂正ができない再生エラーが発生するか否かを判断する第１の判定工程と、
この判定により前記再生エラーが発生しないときは前記特定の領域のデータをエラー訂正を行なわずに再生する第２の再生工程と、
この再生により所定のパターンが再生できたかを判定する第２の判定工程と、この判定により前記所定のパターンが再生できたと判定したことを条件に、与えられたコマンドに応じた処理の実行を許可する許可工程と、
を実行すること、
を特徴とするコピープロテクト方法。
【発明の詳細な説明】
【０００１】
【発明の属する技術分野】
本発明は、コピープロテクトが行なえるプログラム、記録媒体、情報処理システム及びコピープロテクト方法に関する。
【０００２】
【従来の技術】
近年、ＰＣ（パーソナルコンピュータ）等の情報処理装置で利用される記録媒体として大容量で可搬性のある光記録媒体が普及している。代表的な光記録媒体としては、追記型の記録媒体としてＣＤ−Ｒ／ＤＶＤ−Ｒ、書き換え可能型の記録媒体としてＣＤ−ＲＷ／ＤＶＤ−ＲＷ／ＤＶＤ＋ＲＷなどがある。また、書込み不能型の記録媒体としてＣＤ−ＲＯＭ／ＤＶＤ−ＲＯＭなどが広く普及している。
【０００３】
これらの光記録媒体の中には、ハイブリッド記録媒体と呼ばれ、記録媒体の一部が記録済み領域になっており、そこにアプリケーションプログラムが格納されていて、記録媒体の残りの領域はアプリケーションのワーク領域として情報の記録を行なうことが出来る未記録（記録可能）領域とされているタイプのものが知られている（特許第３１５３８３７号公報を参照）。
【０００４】
光記録媒体に対して情報の記録、再生を行なう記録再生装置（ＣＤ−Ｒ／ＲＷドライブ、ＤＶＤ−Ｒ／ＲＡＭ／ＲＷドライブなど）をＰＣ等の情報処理装置に接続し、ハイブリッド記録媒体が記録再生装置に装填すると、自動的に記録済み領域に格納されたアプリケーションソフトが立ち上がる。そして、そのアプリケーションソフトが情報処理装置上で動作を行い、当該アプリケーションが当該ハイブリッド記録媒体上の未記録領域をデータの保存／保管に利用する。ハイブリッド記録媒体は、記録済み領域は出荷時にアプリケーションプログラムが記録済みで書き換えできず、未記録領域は書きこみ可能、あるいは、書き換え可能であることが一般的である。
【０００５】
ハイブリッド記録媒体は、ＣＤ−ＲＷメディアを利用して、未記録領域はＣＤ−ＲＷそのままとし、記録済み領域はＣＤ−ＲＷの構造を流用してグルーブに新たにピットを形成することで製造している。
【０００６】
【発明が解決しようとする課題】
しかしながら、従来のハイブリッド記録媒体は、市販の書込みソフトを使用すると、その記録データを他の記録媒体にコピー出来、コピープロテクトができないという不具合があった。
【０００７】
本発明の目的は、記録媒体のコピープロテクトを行なうことである。
【０００８】
【課題を解決するための手段】
請求項１に記載の発明は、コンピュータに読取り可能なプログラムにおいて、本プログラムが起動すると本プログラムが記録されている記録媒体の特定の領域のデータをエラー訂正を行なって再生する第１の再生処理と、このデータの再生によりエラー訂正ができない再生エラーが発生するか否かを判断する第１の判定処理と、この判定により前記再生エラーが発生しないときは前記特定の領域のデータをエラー訂正を行なわずに再生する第２の再生処理と、この再生により所定のパターンが再生できたか否かを判定する第２の判定処理と、この判定により前記所定のパターンが再生できたと判定したことを条件に、与えられたコマンドに応じた処理の実行を許可する許可処理と、をコンピュータに実行させることを特徴とするプログラムである。
【０００９】
したがって、記録媒体のコピーを行なう書込みソフトでは、コピー元となる記録媒体でエラー訂正を行なって再生しようとするとエラー訂正が実行できない再生エラーが発生する場合には、エラー訂正用の領域をダミーデータで埋めてコピー先の記録媒体に記録する場合があるが、本プログラムを記録済み領域に記録し、特定の領域に、エラー訂正を行なって再生しようとするとエラー訂正が実行できない再生エラーとなり、かつ、エラー訂正を行なわずに再生するときは所定のパターンが再生できるデータを記録した記録媒体からコピーした記録媒体は、エラー訂正を行なって再生しても再生エラーが発生しないときはエラー訂正用の領域のデータをエラー訂正を行なわずに再生すれば、所定のパターンが再生できないので、この場合は与えられたコマンドに応じた処理の実行を行なわないようにすれば、記録媒体のコピープロテクトを行なうことが出来る。
【００１０】
請求項２に記載の発明は、請求項１に記載のプログラムにおいて、前記第１の再生処理は、前記特定の領域となるセクタを再生し、前記第２の再生処理は、前記第１の判定処理による判定により前記再生エラーが発生しないときは前記第１の再生処理で再生した前記セクタを再生すること、を特徴とする。
【００１１】
したがって、特定の１又は複数のセクタにおいて所定のデータを記録しておくことにより、コピープロテクトを行なうことが出来る。
【００１２】
請求項３に記載の発明は、請求項２に記載のプログラムにおいて、前記セクタはエラー訂正用コードにより前記エラー訂正を行なって再生しようとすると前記エラー訂正が実行できないようにしていること、を特徴とする。
【００１３】
したがって、エラー訂正用コードによりコピープロテクトを行なうことが出来る。
【００１４】
請求項４に記載の発明は、請求項１〜３の何れかの一に記載のプログラムが記憶されていることを特徴とする記録媒体である。
【００１５】
したがって、記録媒体のコピーを行なう書込みソフトでは、コピー元となる記録媒体でエラー訂正を行なって再生しようとするとエラー訂正が実行できない再生エラーが発生する場合には、エラー訂正用の領域をダミーデータで埋めてコピー先の記録媒体に記録する場合があるが、このようにしてコピーした記録媒体では、エラー訂正を行なって再生しても再生エラーが発生しないときはエラー訂正用の領域のデータをエラー訂正を行なわずに再生すれば、所定のパターンが再生できないので、この場合は与えられたコマンドに応じた処理の実行を行なわないようにすれば、記録媒体のコピープロテクトを行なうことが出来る。
【００１６】
請求項５に記載の発明は、請求項４に記載の記録媒体において、前記プログラムが記憶されている記録済み領域と、前記プログラムがコンピュータ上で動作することによりデータの記録が可能な未記録領域とを有しているハイブリッド記録媒体であることを特徴とする。
【００１７】
したがって、ハイブリッド記録媒体においてコピープロテクトを行なうことが出来る。
【００１８】
請求項６に記載の発明は、予め所定のプログラムが記憶されている記録媒体と、このハイブリッド記録媒体を再生する再生装置と、前記再生装置を制御する情報処理装置と、を備えている情報処理システムにおいて、前記記録媒体は、特定の領域に、エラー訂正を行なって再生しようとすると前記エラー訂正が実行できない再生エラーとなり、かつ、前記エラー訂正を行なわずに再生するときは所定のパターンが再生できるデータが予め記録されていて、前記プログラムは、当該プログラムが起動すると前記特定の領域のデータを前記エラー訂正を行なって再生する第１の再生処理と、このデータの再生により前記再生エラーが発生するか否かを判断する第１の判定処理と、この判定により前記再生エラーが発生しないときは前記特定の領域のデータをエラー訂正を行なわずに再生する第２の再生処理と、この再生により前記所定のパターンが再生できたかを判定する第２の判定処理と、この判定により前記所定のパターンが再生できたと判定したことを条件に、与えられたコマンドに応じた処理の実行を許可する許可手段と、を前記情報処理装置に実行させること、を特徴とする情報処理システムである。
【００１９】
したがって、記録媒体のコピーを行なう書込みソフトでは、コピー元となる記録媒体でエラー訂正を行なって再生しようとするとエラー訂正が実行できない再生エラーが発生する場合には、エラー訂正用の領域をダミーデータで埋めてコピー先の記録媒体に記録する場合があるが、このようにしてコピーした記録媒体では、エラー訂正を行なって再生しても再生エラーが発生しないときはエラー訂正用の領域のデータをエラー訂正を行なわずに再生すれば、所定のパターンが再生できないので、この場合は与えられたコマンドに応じた処理の実行を行なわないようにすれば、記録媒体のコピープロテクトを行なうことが出来る。
【００２０】
請求項７に記載の発明は、予め所定のプログラムが記憶されている記録媒体に対するコピープロテクトを行なうコピープロテクト方法において、前記プログラムに基づいてコンピュータが、本プログラムが起動すると本プログラムが記録されている記録媒体の特定の領域のデータをエラー訂正を行なって再生する第１の再生工程と、このデータの再生によりエラー訂正ができない再生エラーが発生するか否かを判断する第１の判定工程と、この判定により前記再生エラーが発生しないときは前記特定の領域のデータをエラー訂正を行なわずに再生する第２の再生工程と、この再生により所定のパターンが再生できたかを判定する第２の判定工程と、この判定により前記所定のパターンが再生できたと判定したことを条件に、与えられたコマンドに応じた処理の実行を許可する許可工程と、を実行すること、を特徴とするコピープロテクト方法である。
【００２１】
したがって、記録媒体のコピーを行なう書込みソフトでは、コピー元となる記録媒体でエラー訂正を行なって再生しようとするとエラー訂正が実行できない再生エラーが発生する場合には、エラー訂正用の領域をダミーデータで埋めてコピー先の記録媒体に記録する場合があるが、このようにしてコピーした記録媒体では、エラー訂正を行なって再生しても再生エラーが発生しないときはエラー訂正用の領域のデータをエラー訂正を行なわずに再生すれば、所定のパターンが再生できないので、この場合は与えられたコマンドに応じた処理の実行を行なわないようにすれば、記録媒体のコピープロテクトを行なうことが出来る。
【００２２】
【発明の実施の形態】
本発明の一実施の形態について説明する。
【００２３】
図１は、本実施の形態の情報処理システムに適用する光ディスク装置２０の全体構成を示すブロック図である。図１において、矢印はデータが主に流れる方向を示しており、また、図を簡略化するために、図１の各ブロックを制御するＣＰＵ１８には、太線のみを付けて各ブロックとの接続を省略している。ＲＯＭ１７には、ＣＰＵ１８にて解読可能なコードで記述された制御プログラムが格納されている。なお、光ディスク装置２０の電源がオン状態になると、前記プログラムは不図示のメインメモリにロードされ、ＣＰＵ１８はそのプログラムに従って各部の動作を制御するとともに、制御に必要なデータ等を一時的にＲＡＭ１９に保存する。光ディスク装置２０の構成と動作は、次のとおりである。
【００２４】
光ディスク１は、スピンドルモータ２によって回転駆動される。このスピンドルモータ２は、モータドライバ４とサーボ手段６により、線速度が一定になるように制御される。この線速度は、階段的に変更することが可能である。
【００２５】
光ピックアップ３は、図示しない半導体レーザ、光学系、フォーカスアクチュエータ、トラックアクチュエータ、受光素子及びポジションセンサを内蔵しており、レーザ光ＬＢを光ディスク１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段６により、レーザ光ＬＢの光スポットが光ディスク１上の目的の場所に位置するように制御される。
【００２６】
そして、データの再生の際には、光ピックアップ３によって得られた再生信号が、リードアンプ５で増幅されて２値化された後、ＣＤデコーダ７に入力される。入力された２値化データは、このＣＤデコーダ７において、ＥＦＭ（Ｅｉｇｈｔ　ｔｏＦｏｕｒｔｅｅｎ　Ｍｏｄｕｌａｔｉｏｎ）復調される。なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００２７】
復調されたデータは、デインターリーブとエラー訂正の処理が行われる。その後、このデータは、ＣＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェイス１５を介して、図１において図示しないホストコンピュータ（図２のＰＣ３０）へ一気に転送される。なお、音楽データの場合には、ＣＤデコーダ７から出力されたデータが、Ｄ／Ａコンバータ１６へ入力され、アナログのオーディオ出力信号Ａｕｄｉｏとして取り出される。
【００２８】
また、データの記録の際には、ＡＴＡＰＩ／ＳＣＳＩインターフェイス１５を通して、ホストコンピュータから送られてきたデータは、バッファマネージャ１３によって一旦バッファＲＡＭ１２に蓄えられる。そして、バッファＲＡＭ１２内にある程度の量のデータが蓄積された状態で、ライト動作が開始されるが、この場合には、その前に光スポットを書込み開始地点に位置させる必要がある。この地点は、トラックの蛇行により予め光ディスク１上に刻まれているウォブル信号によって求められる。
【００２９】
ウォブル信号には、ＡＴＩＰと呼ばれる絶対時間情報が含まれており、この情報が、ＡＴＩＰデコーダ８によって取り出される。また、このＡＴＩＰデコーダ８によって生成される同期信号は、ＣＤエンコーダ１０へ入力され、光ディスク１上の正確な位置へのデータの書込みを可能にしている。バッファＲＡＭ１２のデータは、ＣＤ−ＲＯＭエンコーダ１１やＣＤエンコーダ１０において、エラー訂正コードの付加や、インターリーブが行われ、レーザコントローラ９、光ピックアップ３を介して、光ディスク１に記録される。
【００３０】
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００３１】
図２は、本実施の形態の情報処理システムに適用する情報処理装置であるＰＣ３０の概略図である。図２に示すように、このＰＣ３０は、ＣＰＵ２１と、各種のＲＯＭ、ＲＡＭからなるメモリ２２とがバス２３で接続されている。バス２３には、所定のインターフェイスを介して、ハードディスク装置２４、ディスプレイ２５、キーボード２６、マウス２７、再生装置２８、記録装置２９が接続されている。再生装置２８、記録装置２９は、それぞれ光ディスク装置２０であり、前者は再生可能な装置であり、後者は記録可能な装置である。
【００３２】
このようなハードウエア構成で、ハードディスク装置２４には、ＯＳ（オペレーティングシステム）と各種アプリケーションソフトが記憶されている。このようなアプリケーションソフトとして、光ディスク１のコピーを行なう書込みソフトが記憶されている。この書込みソフトに従って、ＰＣ３０は再生装置２８及び記録装置２９を制御して、再生装置２８に装填した光ディスク１を再生し、そのデータを記録装置２９に装填した光ディスク１に記録する。
【００３３】
図３は、本実施の形態の情報処理システムに適用するハイブリット記憶媒体４０のディスクの一部を切断して示した斜視図である。このハイブリット記憶媒体４０は、予め所定のプログラムが記憶されている記録済み領域３１と、このプログラムがＰＣ３０上で動作することによりデータの記録が可能な未記録領域（書き換え可能領域）３２とが形成されている。
【００３４】
図４は、一般的なコンパクトディスク用データフォーマットである、ＣＤ−ＲＯＭ　ＸＡ　Ｍｏｄｅ２　Ｆｏｒｍ１のセクタのデータ構成を示す説明図である。このハイブリット記憶媒体４０は、予め少なくとも１つのセクタにおいて、図４に示す“ＥＤＣ（エラー訂正用コード）”の部分を通常とは異なるコードにしている。そして、図４に示す“Ｄａｔａ”には、例えば、“ＨｙｂｒｉｄＨｙｂｒｉｄ…”のような予め決まったストリングスを書き込んでおく。
【００３５】
このように、ハイブリット記憶媒体４０は、予め少なくとも１つのセクタが通常とは異なるコードであるため、再生装置２８でエラー訂正を行なって再生すると、前述のセクタはエラー訂正が実行できないセクタであると判断されて、再生エラーとなる。よって、書込みソフトに従って動作するＰＣ３０は、ハイブリット記憶媒体４０を他の光ディスク１にコピーすることができない。
【００３６】
しかし、書込みソフトによっては、このような再生エラーが起こると、コピー先の光ディスク１における対応するセクタの“Ｄａｔａ”にダミーのデータを書きこむ機能を備えている。この場合には、コピー先の光ディスク１には、該当するセクタの“Ｄａｔａ”にコピー元であるハイブリット記憶媒体４０のものとは異なるダミーのデータが記録されることになる。この場合に、記録済み領域３１に記録されているプログラムもそのままコピー先の光ディスク１にコピーされることになる。
【００３７】
このようにしてハイブリット記憶媒体４０からコピーされた光ディスク１をＰＣ３０の再生装置２８に装填すると、光ディスク１にコピーされたプログラムが起動して次のような処理を行なう。
【００３８】
すなわち、図５に示すように、光ディスク１の再生装置２８への装填により光ディスク１にコピーされたプログラムが起動すると（ステップＳ１のＹ）、前述のダミーのデータが記録されたセクタをエラー訂正を行なって再生する（ステップＳ２）。これにより第１の再生処理を行なう。そして、このデータの再生により再生エラーが発生するか否かを判断する（ステップＳ３）。これにより第１の判定処理を行なう。この判定により再生エラーが発生するときは（ステップＳ３のＮ）、一連の処理が終了し、光ディスク１にコピーされたプログラムは、その本来の機能を発揮することが出来ない。
【００３９】
再生エラーが発生しないときは（ステップＳ３のＹ）、当該セクタをエラー訂正を行なわずに再生する（ステップＳ４）。これにより第２の再生処理を行なう。すなわち、ステップＳ４の処理では、例えば、ＲｅａｄＣＤコマンドでＦｌａｇＢｉｔｓをＦ８ｈで使用することにより、当該セクタ内のデータ全てを読み出せる。これにより、図４に示す“Ｄａｔａ”のみならず、エラー訂正用のコード“ＥＣＣ”“ＥＤＣ”も再生することができる。
【００４０】
そして、この再生により所定のパターンが再生できたか否かを判定する（ステップＳ５）。これにより第２の判定処理を行なう。すなわち、再生したセクタの“Ｄａｔａ”に、この例では、ＨｙｂｒｉｄＨｙｂｒｉｄ…”のデータが記録されているか否かを判断する。この所定のパターンが再生されなかったときは（ステップＳ５のＮ）、書込みソフトにより所定のパターンに代えてダミーのデータが記録されたコピーの光ディスク１であることが判明するから、一連の処理を終了し、光ディスク１に記録されているプログラムに基づく処理を行なわない。よって、当該プログラムによる本来の機能を発揮することは出来ないので、ハイブリット記憶媒体４０のコピープロテクトを実現することが出来る。
【００４１】
所定のパターンが再生されたときは（ステップＳ５のＹ）、真性のハイブリット記憶媒体４０が使用されているので、与えられたコマンドに応じた処理の実行を許可する（ステップＳ６〜Ｓ８）。これにより許可処理を行なう。よって、与えられたコマンドに応じた処理の実行により、ハイブリット記憶媒体４０に記憶されているプログラムの本来の機能を発揮することが出来る。
【００４２】
【発明の効果】
請求項１，４，６，７の何れかの一に記載の発明は、記録媒体のコピープロテクトを行なうことが出来る。
【００４３】
請求項２に記載の発明は、請求項１に記載の発明において、特定の１又は複数のセクタに所定のデータを記録しておくことにより、コピープロテクトを行なうことが出来る。
【００４４】
請求項３に記載の発明は、請求項２に記載の発明において、エラー訂正用コードにより、コピープロテクトを行なうことが出来る。
【００４５】
請求項５に記載の発明は、請求項４に記載の発明において、ハイブリッド記録媒体についてコピープロテクトを行なうことが出来る。
【図面の簡単な説明】
【図１】本実施の形態の情報処理システムに適用する光ディスク装置の全体構成を示すブロック図である。
【図２】本実施の形態の情報処理システムに適用する情報処理装置であるＰＣの全体構成を示すブロック図である。
【図３】本実施の形態の情報処理システムに適用するハイブリット記憶媒体のディスクの一部を切断して示した斜視図である。
【図４】一般的なコンパクトディスク用データフォーマットである、ＣＤ−ＲＯＭ　ＸＡ　Ｍｏｄｅ２　Ｆｏｒｍ１のセクタのデータ構成を示す説明図である。
【図５】ハイブリット記憶媒体に記憶されているプログラムの動作を説明するフローチャートである。
【符号の説明】
２８　　再生装置
３０　　情報処理装置
４０　　記録媒体、ハイブリット記録媒体
３１　　記録済み領域
３２　　記録領域
【図１】
2004030815.tif 000003
【図２】
2004030815.tif 000004
【図３】
2004030815.tif 000005
【図４】
2004030815.tif 000006
【図５】
2004030815.tif 000007